(57)【特許請求の範囲】
【請求項１】
物品に近づく動物を、動物が忌避する色のＬＥＤ光により忌避させて、物品を動物の被害から護ることができるようにした動物忌避方法において、
二以上のＬＥＤが収容された筐体を、前記物品の近くであって動物が通る通路又は前下がり傾斜の傾斜台の上に設置し、電源スイッチをＯＮにして前記二以上のＬＥＤから、動物が忌避する二色以上の光を点灯時間17msec程度、点滅間隔1.6sec程度の点滅光にして出射させ、
前記点滅光を前記物品の近くであり動物が通る通路に斜め下向きに照射して、当該通路の上方に反射させると共に周囲に広げ、反射して広がった点滅光が前記通路から前記物品に近づく動物により感知され易くして動物に忌避され易くした、
ことを特徴とする動物忌避方法。
【請求項２】
動物が忌避する色の光をＬＥＤから出射して、物品に近づく動物が当該ＬＥＤ光を忌避して、物品を動物の被害から護ることができる動物忌避装置において、
筐体に二以上のＬＥＤと、電池と、電源回路と、点滅制御回路と、電源スイッチが設けられ、
前記筐体は動物が通る通路又は前下がり傾斜の傾斜台の上に設置できるものであり、
前記二以上のＬＥＤは動物が忌避する異なる色の光を発光できるものであり、
前記二以上のＬＥＤは発光側が前記筐体の貫通孔の外に突出して又は当該貫通孔に臨んで筐体内に取り付けられ、当該ＬＥＤは前下がり傾斜に又は筐体の底面と水平に取り付けられ、
前記電源スイッチは前記ＬＥＤの点滅動作をＯＮ、ＯＦＦさせることができ、
前記点滅制御回路は前記電源スイッチのＯＮにより駆動して、前記二以上のＬＥＤを点滅制御でき、
前記二以上のＬＥＤから出射される色の異なる点滅光は、点灯時間17msec程度、点滅間隔1.6sec程度に設定することができ、
前記筐体を動物が通る通路又は前下がり傾斜の傾斜台の上に設置し、電源スイッチをＯＮにすることにより、前記点滅光を前記物品の近くであり動物が通る通路に１０度程度の斜め下向きに照射して、当該点滅光が通路の上方に反射すると共に周囲に広がって、前記通路から前記物品に近づく動物により感知され易くなり、忌避され易くなるようにした、
ことを特徴とする動物忌避装置。
【発明の詳細な説明】
【技術分野】
【０００１】
本願発明は、ネズミ、イタチといった動物が忌避する（避けて逃げる、退避する）動物忌避方法とそれに使用される動物忌避装置に関する。
【背景技術】
【０００２】
動物が工場、食糧庫、納屋、室内などに侵入して、それらの内部の食糧や衣類（物品）をかじったり、食べたり、室内の電線や設備を荒すことがあった。これらの問題を解決すべく、従来は、ＬＥＤ光を使用して動物が忌避する（動物が物品に近づかないようにする）小動物忌避装置（特許文献１）が提案されている。
【先行技術文献】
【特許文献】
【０００３】
【特許文献１】特開２００６−８１４４１号公報
【発明の概要】
【発明が解決しようとする課題】
【０００４】
前記特許文献１の小動物忌避装置は、着色光を嫌う動物の習性を利用したものである。この小動物忌避装置は、ＬＥＤから出射される光が動物の通路の上方を照射するようにしてある。ＬＥＤ光は直進性があるため、ＬＥＤ光が床面の上方を照射すると、ＬＥＤ光が動物に感知されず、動物が忌避しないという難点があった。
【０００５】
本願発明の解決課題は、ＬＥＤ光が動物に確実に感知されて、動物が工場、食糧庫、室内等の食品や衣類等（動物から護りたい物品）を忌避して、それら物品が食べられたり、荒らされたりしないようにすることにある。
【課題を解決するための手段】
【０００６】
本願発明の動物忌避方法は、ＬＥＤからの出射光を動物が忌避して物品が動物の被害に合わないようにした（動物から護るようにした）動物忌避方法において、発光色の異なる二以上のＬＥＤを点滅発光させ、当該ＬＥＤからの点滅光を、動物から護りたい物品の近くであって動物の通路に照射するか、或いは反射体で反射させてから前記通路に照射させて、前記物品に近づく動物が前記点滅光を感知して動物が忌避するようにした方法である。
【０００７】
前記動物忌避方法では、点滅光を動物が忌み嫌う赤色系、緑色系、青色系にすると忌避効果が向上する。発光色の異なる二以上のＬＥＤは、適宜の時間間隔で交互に点滅させるのが忌避効果向上のために有効である。例えば、赤色系を数秒間点滅させた後に、緑色系を数秒間点滅させ、これら点滅を繰返すのが好ましい。
【０００８】
本願発明の動物忌避装置は、ＬＥＤからの出射光を動物が忌避して、物品を動物の被害から護る動物忌避装置において、筐体と、その筐体内に収容された二以上のＬＥＤを備え、前記二以上のＬＥＤは異なる色の光を点滅発光できるものであり、ＬＥＤからの点滅光を動物から護りたい物品の近くであって動物の通路に照射するか、或いは反射物で反射させてから前記通路に照射できるようにしたものである。前記二以上のＬＥＤは動物が嫌う赤色系や緑色系の光を発光できるものにすると忌避効果が向上する。
【０００９】
本願発明の動物忌避装置は、ＬＥＤを筐体の底面に対して斜め下向きに設けて、ＬＥＤからの出射光が筐体から斜め下向きに出射されるようにすると、筐体の底面を前記通路に設置するだけで点滅光が通路に確実に照射される。
【発明の効果】
【００１０】
本願発明の動物忌避方法は、次のような効果がある。
（１）ＬＥＤからの点滅光を、動物から護りたい物品の近くであって動物の通路に照射させるので、動物が点滅光を感知して物品に近づかず、動物により物品や設備等が荒らされることがない。
（２）通路に照射される光が、通路で反射されて空中に広がるので、動物がその光を感知し易くなり、動物が物品に近づかない。
（３）動物が嫌う色の光を照射するので忌避が確実になる。
（４）発光色の異なる二以上のＬＥＤを点滅させるので、動物が点滅光に慣れにくく、長期間使用しても忌避効果が持続される。
（５）色の異なる二以上の点滅光を、所望間隔で交互に発光させるので、動物が発光タイミングにも慣れにくく、長期間使用しても忌避効果が持続する。
【００１１】
本願発明の動物忌避装置は、次のような効果がある。
（１）動物から保護したい物品の近くに設置して、筐体内に収容された二以上のＬＥＤから色の異なる点滅光を発光させれば、動物がその光を忌避して物品や施設から退避するので、物品が荒らされるのを防止することができる。
（２）ＬＥＤを筐体内に斜め下向きに設けたので、筐体を動物の通路に設置するだけで、そのＬＥＤから発光される点滅光を、物品の近くの動物の通路に照射することができ、取り扱いが容易である。
（３）二以上のＬＥＤが、動物が嫌う赤色系や緑色系の光を発光できるものであるため、動物の忌避が確実になり、忌避効果が向上する。
（４）ＬＥＤを所望間隔で点滅動作させれば、動物が発光タイミングにも慣れにくくなり、忌避の効果が長期間持続する。
【図面の簡単な説明】
【００１２】
【図１】本願発明の動物忌避装置の一例を示すものであって、（ａ）は蓋を外した状態を示す斜視図、（ｂ）は蓋で筐体の上面開口部を閉塞した状態の断面図。
【図２】（ａ）は本願発明の動物忌避装置の筐体を前下がり傾斜台に設置した場合の斜視図、（ｂ）はその断面図。
【図３】本願発明の動物忌避装置の概要を示すブロック図。
【図４】（ａ）〜（ｄ）は、ＬＥＤを二つ用いる場合の両ＬＥＤの点滅の点滅及び交互切り替えのタイミングを示す説明図。
【発明を実施するための形態】
【００１３】
（動物忌避方法の実施形態）
本願発明の動物忌避方法の実施形態の一例について説明する。この実施形態の動物忌避方法は、発光色が異なる（例えば、緑色系と赤色系）二つのＬＥＤ１を交互に点滅発光させ、その点滅光２を動物から護りたい物品３の近くであって、動物の通路４に直に照射するか、或いは壁とか他の物体（反射体）で反射させた反射光（間接光）を前記通路４に照射させて、前記点滅光２が物品３に近づく動物に感知され易くして、その点滅光２を動物が忌避するようにした方法である。
【００１４】
前記二つのＬＥＤ１からの点滅光は、忌避効果を高める上では、動物が忌み嫌う色、例えば、赤色系、緑色系、青色系といった色にし、二つのＬＥＤ１を図４（ａ）（ｂ）のように適宜の時間間隔で交互に点滅させ、その交互点滅を繰り返させるとか、図４（ｃ）（ｄ）のように一方のＬＥＤ１が数回点滅してから、他方のＬＥＤ１が数回点滅し、その点滅が繰り返されるようにするとか、他の点滅方式とすることもできる。点灯時間も消灯時間も任意に設定可能であり、点灯時間と消灯時間は同じでも異なっても良い。ＬＥＤ１は発光色の異なるものを三以上使用し、それら三つのＬＥＤ１が交互に点滅するようにしても同時に点滅するようにしてもよい。例えば、夫々のＬＥＤ１の１回の点灯時間を17msec、点滅間隔を1.6secとすると、動物（ネズミ）がその光を忌避した。この発光時間と点滅間隔は一例であり、前記数値よりも長くすることも、短くすることもできる。
【００１５】
ＬＥＤ１は緑色系のＬＥＤ１と赤色系のＬＥＤ１を交互に発光させるのが好ましいが、緑色系のＬＥＤ１と赤色系のＬＥＤ１が不規則な順番で発光するようにすることもできる。ＬＥＤ１からの出射光は通路４に対して斜め下向き（例えば、１０°程度）に照射させると、その光が通路４から斜め先方上方（空中）に反射するとともに横に広がって、通路４を通る動物が感知し易くなる。
【００１６】
（動物忌避装置の実施形態）
本願発明の動物忌避装置の実施形態の一例について、図面を参照しながら説明する。この実施形態の動物忌避装置は、図１（ａ）（ｂ）に示すように、上面開口の筐体５内の両側面から内側に突設された受け具１３の上に、ＬＥＤ１が実装された基板７を設置して、ＬＥＤ１から出射される点滅光が、動物が通る通路４に下向きに照射されて、通路４により、その斜め先方上方（空中）に反射されるようにしてある。ＬＥＤ１は三個以上とすることもできる。ＬＥＤ１は緑色系、赤色系、青色系といった各種発光色のものを使用できるが、それらの色は動物の嫌いな色が好ましい。
【００１７】
筐体５はプラスチック製の箱型であり、その上方開口部８がプラスチック製の薄板状の蓋９で閉塞されるようにしてある。筐体５の前面には二つの貫通孔１０が設けられ、夫々の貫通孔１０から外にＬＥＤ１の先端部が突出するようにしてある。先端部は必ずしも貫通孔１０から突出する必要は無く、貫通孔１０に臨ませて、点滅光が貫通孔１０から出射できるようにすることもできる。
【００１８】
前記基板７は既存のリジッド基板であり、マイコン（ＩＣ）、抵抗、コンデンサ、電源スイッチ、バッテリー（例えば、リチウム電池）などの各種電子部品が実装され、配線されて、ＬＥＤ１の点灯に必要な電源回路や、ＬＥＤ１の点滅制御に必要な制御回路等が設けられている。電源スイッチＳＷはＬＥＤ１の点滅動作をＯＮ、ＯＦＦさせるものである。電源スイッチＳＷは筐体５の外部から操作できるようにすることができる。例えば、筐体５の任意の側面に開口部を形成し、その開口部に電源スイッチＳＷを嵌め込んで外部から電源スイッチＳＷを操作できるようにしてもよい。場合によっては、遠隔操作できるようにリモコン式とすることもできる。前記電池には、例えば、電圧３Ｖ、電流１０００ｍＡ程度のものが適する。
【００１９】
基板７は図２（ａ）（ｂ）に示すように筐体５内に勾配をつけることなく、筐体５の底面１２と水平に収容し、その底面１２を前下がり傾斜の傾斜台１４の上に載せて、ＬＥＤ１から出射される点滅光が、その傾斜台１４の傾斜角度（約１０°程度）で、出射されるようにすることもできる。傾斜台１４の傾斜角度はこの数値に限定されない。
【００２０】
本願発明の動物忌避装置は、筐体５を人や動物の形をしたぬいぐるみ内に収容して使用することもできる。この場合、人や動物の目の部分にＬＥＤ１を設けて、人や動物の目が光っているようにすることもできる。
【００２１】
（作用）
本願発明の動物忌避装置は、保護したい物品３の近くであって動物が通る通路４の上に筐体５を設置して、電源スイッチＳＷをＯＮにすると電源回路及び点滅制御回路が起動して、二つのＬＥＤ１が点滅を開始する。夫々のＬＥＤ１の点灯時間、点滅の切り替えタイミング等は予め設定してある条件で自動的に行われる。ＬＥＤ１から出射する点滅光は、通路４に約１０°程度（この数値に限定されない）の前下がり角度で照射され、通路４で斜め前方上方に反射されると共に周囲に広がり、前記物品３に近づいた動物が、前記通路４上の点滅光や反射された点滅光を感知し易くなり、その光を忌避してその場所から退避し、物品に寄り付かなくなる。
【符号の説明】
【００２２】
１  ＬＥＤ
２  点滅光
３  物品
４  動物の通路
５  筐体
７  基板
８  上方開口部
９  蓋
１０  貫通孔
１２  筐体の底面
１３  受け具
１４ 傾斜台
【図１】
0005946994.tif 000002
【図２】
0005946994.tif 000003
【図３】
0005946994.tif 000004
【図４】
0005946994.tif 000005